(57)【要約】【課題】取付ネジを螺合する際の作業性を損なうことなく、取付ネジや保持部材に錆や腐食等の問題を防止する。【解決手段】互いに同一の方向に沿って延在する下地材２０を複数並設し、かつ下地材２０の上部に互いに同一の方向に沿って延在するデッキ材３０を複数並設することによってデッキ部１０を構成した屋外構造体であって、下地材２０は、デッキ材３０に対向する部位に座面６０ａを有し、かつ両側縁部にそれぞれ係合部２２，２３を有したものであり、互いに隣接する下地材２０は、係合部２２，２３が上下に対向した状態で相互に並設され、デッキ材３０は、座面６０ａに取り付けられた保持金具５０によって下地材２０に保持されており、下地材２０には、座面６０ａよりも低い位置に長手に沿って延在する樋部６５が設けられ、かつ座面６０ａに隣接する部位には、樋部６５に向けて漸次低く傾斜した傾斜面６２ａが設けられている。【選択図】図６
2018193826.tif 000002
【特許請求の範囲】
【請求項１】
互いに同一の方向に沿って延在する下地材を複数並設し、かつ前記下地材の上部に互いに同一の方向に沿って延在するデッキ材を複数並設することによってデッキ部を構成した屋外構造体であって、
前記下地材は、前記デッキ材に対向する部位に座面を有し、かつ両側縁部にそれぞれ係合部を有したものであり、互いに隣接する下地材は、前記係合部が上下に対向した状態で相互に並設され、
前記デッキ材は、前記座面に取り付けられた保持部材によって前記下地材に保持されており、
前記下地材には、前記座面よりも低い位置に長手に沿って延在する樋部が設けられ、かつ前記座面に隣接する部位には、前記樋部に向けて漸次低く傾斜した傾斜面が設けられていることを特徴とする屋外構造体。
【請求項２】
前記下地材は、前記係合部の間となる部位に長手に沿った樋状通路を有し、かつ前記樋状通路の外部において前記樋状通路の両側となる部位にそれぞれ前記座面を有したものであり、
前記座面に対して前記樋状通路とは反対側となる部位にそれぞれ個別の樋部を有し、前記樋部の内底面と前記座面との間が前記傾斜面によって連続していることを特徴とする請求項１に記載の屋外構造体。
【請求項３】
前記下地材において前記デッキ材の下面に当接する上面よりも低くなる位置に前記座面を設けたことを特徴とする請求項１に記載の屋外構造体。
【請求項４】
前記樋状通路と前記座面との間の隔壁部は、前記座面よりも上方に突出していることを特徴とする請求項２に記載の屋外構造体。
【請求項５】
前記デッキ材の延在方向に対して前記下地材の延在方向が交差するように配置されていることを特徴とする請求項１に記載の屋外構造体。
【発明の詳細な説明】
【技術分野】
【０００１】
本発明は、バルコニー等のデッキ部を有した屋外構造体に関するものである。
【背景技術】
【０００２】
バルコニー等の屋外構造体にあっては、単にデッキ材を並設した場合、降雨時においてデッキ材の上面に降った水がそのままデッキ材の相互間から下方に漏水するおそれがある。このため従来では、両側縁部に係合部を有した下地材をデッキ材の下方に並設することによってデッキ部を構成し、上述の問題を解決するようにしたものも提供されている。すなわち、下地材の一方の縁部に設けられた係合部は、上方の上横板部と、上横板部から下方に向けて延在した屈曲部とを有し、他方の縁部に設けられた係合部は、下方の下横板部と、下横板部から上方に向けて延在した屈曲部とを有している。隣接する下地材の間においては、上横板部及び下横板部が上下に対向する状態で並設されることになる。こうした下地材を備える屋外構造体によれば、デッキ材の相互間を水が通過した場合にも、下横板部によって受け止められるとともに、上横板部の水が隣接する下地材の下横板部によって受け止められることになり、下方への漏水を防止することが可能となる（例えば、特許文献１参照）。
【先行技術文献】
【特許文献】
【０００３】
【特許文献１】特開２００６−２４１７６８号公報
【発明の概要】
【発明が解決しようとする課題】
【０００４】
この種の屋外構造体では、デッキ材を下地材に取り付ける場合に保持部材が適用されている。保持部材は、下地材に取り付けるための取付部と、デッキ材を押さえる押さえ板部とを備えたものである。この保持部材は、取付部を介して下地材の座面に取付ネジを螺合することによって下地材に取り付けられており、下地材と押さえ板部との間にデッキ材を挟持することによって下地材にデッキ材を保持している。ここで、保持部材を取り付けるために取付ネジが螺合される座面は、その作業性を考慮した場合、水平に延在していることが好ましい。しかしながら、水平に延在された座面には、デッキ材の相互間を通過した水が滞留し易く、取付ネジや保持部材に錆や腐食といった問題を招来するおそれがある。
【０００５】
本発明は、上記実情に鑑みて、取付ネジを適用して保持部材を取り付けた場合にも、取付ネジを螺合する際の作業性を損なうことなく、取付ネジや保持部材に錆や腐食等の問題を防止することのできる屋外構造体を提供することを目的とする。
【課題を解決するための手段】
【０００６】
上記目的を達成するため、本発明に係る屋外構造体は、互いに同一の方向に沿って延在する下地材を複数並設し、かつ前記下地材の上部に互いに同一の方向に沿って延在するデッキ材を複数並設することによってデッキ部を構成した屋外構造体であって、前記下地材は、前記デッキ材に対向する部位に座面を有し、かつ両側縁部にそれぞれ係合部を有したものであり、互いに隣接する下地材は、前記係合部が上下に対向した状態で相互に並設され、前記デッキ材は、前記座面に取り付けられた保持部材によって前記下地材に保持されており、前記下地材には、前記座面よりも低い位置に長手に沿って延在する樋部が設けられ、かつ前記座面に隣接する部位には、前記樋部に向けて漸次低く傾斜した傾斜面が設けられていることを特徴とする。
【０００７】
この発明によれば、座面に対して傾斜面が連続して設けられているため、取付ネジの螺合作業を容易化すべく座面を水平に構成した場合にも、座面に到達した水が傾斜面を通じて樋部に導かれることになり、座面に滞留する事態を抑えることが可能となる。これにより、取付ネジを適用して保持部材を下地材に取り付けた場合にも、取付ネジや保持部材に錆や腐食等の問題を招来するおそれがなくなる。
【０００８】
また本発明は、上述した屋外構造体において、前記下地材は、前記係合部の間となる部位に長手に沿った樋状通路を有し、かつ前記樋状通路の外部において前記樋状通路の両側となる部位にそれぞれ前記座面を有したものであり、前記座面に対して前記樋状通路とは反対側となる部位にそれぞれ個別の樋部を有し、前記樋部の内底面と前記座面との間が前記傾斜面によって連続していることを特徴とする。
【０００９】
この発明によれば、樋状通路の水が下地材の座面に到達するおそれがなくなる。
【００１０】
また本発明は、上述した屋外構造体において、前記下地材において前記デッキ材の下面に当接する上面よりも低くなる位置に前記座面を設けたことを特徴とする。
【００１１】
この発明によれば、デッキ材の下面と座面との隙間に水が滞留する事態を招来するおそれがない。
【００１２】
また本発明は、上述した屋外構造体において、前記樋状通路と前記座面との間の隔壁部は、前記座面よりも上方に突出していることを特徴とする。
【００１３】
この発明によれば、樋状通路の水が下地材の座面に到達する事態をより確実に防止することができる。
【００１４】
また本発明は、上述した屋外構造体において、前記デッキ材の延在方向に対して前記下地材の延在方向が交差するように配置されていることを特徴とする。
【００１５】
この発明によれば、デッキ材から滴下した水が樋部で確実に受け止められることになり、デッキ材と下地材との延在方向が一致している場合に比べて排水効率を向上させることが可能となる。
【発明の効果】
【００１６】
本発明によれば、座面に対して傾斜面が連続して設けられているため、取付ネジの螺合作業を容易化すべく座面を水平に構成した場合にも、座面に到達した水が傾斜面を通じて樋部に導かれることになり、座面に滞留する事態を抑えることが可能となる。これにより、取付ネジを適用して保持部材を下地材に取り付けた場合にも、取付ネジや保持部材に錆や腐食等の問題を招来するおそれがなくなる。
【図面の簡単な説明】
【００１７】
【図１】本発明の実施の形態である屋外構造体の要部平面図である。
【図２】図１に示した屋外構造体の要部拡大縦断面側面図である。
【図３】図１に示した屋外構造体を後方から前方に向けて見た拡大縦断面図である。
【図４】図１に示した屋外構造体の一部を破断して示す斜視図である。
【図５】図１に示した屋外構造体で適用する下地材の斜視図である。
【図６】図１に示した屋外構造体において下地材に対するデッキ材の保持構造を示す要部拡大断面側面図である。
【図７】図１に示した屋外構造体で適用する保持部材の斜視図である。
【発明を実施するための形態】
【００１８】
以下、添付図面を参照しながら本発明に係る屋外構造体の好適な実施の形態について詳細に説明する。
図１〜図４は、本発明の実施の形態である屋外構造体を示したものである。ここで例示する屋外構造体は、建築物の上階となる部分の外壁面Ｗからデッキ部１０が突出するように設けられたバルコニーである。なお、以下においては便宜上、バルコニーにおいて建築物の外壁面Ｗから離隔する方向を前方、建築物に近接する方向を後方として説明を行うこととする。
【００１９】
デッキ部１０は、建築物の外壁面Ｗに取り付けた躯体取付用部材１１の両側に妻梁１２（図１では一方のみ表示）を備えるとともに、妻梁１２の間となる部位に中間根太１３を備え、これら妻梁１２及び中間根太１３の突出端部間を前桁１４によって互いに連結することにより構成してある。妻梁１２、中間根太１３及び前桁１４によって囲まれる矩形領域１５には、それぞれ複数の下地材２０及び複数のデッキ材３０がそれぞれ互いに並設してある。
【００２０】
妻梁１２、中間根太１３、前桁１４は、それぞれアルミニウム合金等の金属によって成形した押し出し形材であり、ほぼ水平となるように配設してある。本実施の形態では、中空で縦長の長方形状となる角筒状に構成した妻梁１２、中間根太１３、前桁１４を適用している。前桁１４において矩形領域１５に対向する内側面１４ａには前桁１４の長手に沿ってそれぞれ桁樋１６が設けてあり、妻梁１２及び中間根太１３において矩形領域１５に対向する内側面１２ａ，１３ａには妻梁１２及び中間根太１３の長手に沿ってそれぞれ梁樋１７が設けてある。
【００２１】
桁樋１６は、前桁１４と一体に成形したもので、内側横板部１６ａ及び内側屈曲部１６ｂを有して構成してある。内側横板部１６ａは、前桁１４の内側面１４ａから矩形領域１５に向けてほぼ水平に延在した平板状部分である。内側屈曲部１６ｂは、内側横板部１６ａの中間部から上方に向けて突出した平板状部分であり、前桁１４の内側面１４ａとの間に上方に開口した樋部を構成している。内側屈曲部１６ｂの上端縁は、前桁１４の上端面よりも下方となるように設定してある。桁樋１６の両端部はいずれも開口しており、受け入れた水を両端部から排出することが可能である。
【００２２】
梁樋１７は、別体の樋部材１７Ａを妻梁１２の内側面１２ａ及び中間根太１３の内側面１３ａに取り付けることによって構成したもので、桁樋１６よりも下方となる部位において妻梁１２及び中間根太１３の長手に沿ってほぼ水平に延在している。樋部材１７Ａは、平板状を成す底壁板１７Ａａと、底壁板１７Ａａの両側からそれぞれ上方に向けて延在した側壁板１７Ａｂとを有して構成したもので、一方の側壁板１７Ａｂを介して妻梁１２及び中間根太１３に取り付けてある。それぞれの梁樋１７は、両端部がいずれも閉塞してある一方、個々の前端部下面に排水樋１８が接続してあり、排水樋１８を介して排水が可能である。
【００２３】
下地材２０は、アルミニウム合金等の金属によって成形した押し出し形材である。本実施の形態では、図５に示すように、下地本体部２１及び下地本体部２１の両側縁部に設けた係合部２２，２３を有して下地材２０を構成している。下地本体部２１は、断面がほぼ横長矩形の角筒状を成すもので、中央部に樋状通路２１ａを有している。樋状通路２１ａは、上面が開口した断面矩形の凹溝部分である。係合部２２，２３は、下地本体部２１からほぼ水平に延在した平板状を成す横板部２２ａ，２３ａと、個々の横板部２２ａ，２３ａに設けた屈曲部２２ｂ，２３ｂとを有して構成してある。横板部２２ａ，２３ａは、下地本体部２１の一方の縁部においては上隅部から延在し、かつ他方の縁部においては下隅部から延在している。屈曲部２２ｂ，２３ｂは、上下に沿って延在した平板状部分である。下地本体部２１の上隅部に設けた横板部（以下、上横板部２２ａという）には、その延在縁部から下方に向けて屈曲部２２ｂが設けてあり、下隅部に設けた横板部（以下、下横板部２３ａという）には、その延在縁部から上方に向けて屈曲部２３ｂが設けてある。後述する下地材２０の上面２０ａとは、下地本体部２１の上面、上横板部２２ａの上面及び後述する縁板部２６の上面の総称であり、互いに同一の平面上に位置している。
【００２４】
上述の構成を有する下地材２０は、上横板部２２ａが前方となる状態で前桁１４に沿って配置し、左右の両端部が妻梁１２に設けた梁樋１７の上面及び中間根太１３に設けた梁樋１７の上面に載置された状態で前後に複数並設してある。梁樋１７に対しては、それぞれ樋状通路２１ａを介して下地ネジＳ１を螺合することにより固定してある。下地材２０の中間部分は、前桁１４と躯体取付用部材１１との間に設けたブラケット１に下地ネジＳ１で固定しても良い。図２からも明らかなように、互いに隣接する下地材２０は、上横板部２２ａに設けた屈曲部２２ｂが下横板部２３ａに対向し、かつ下横板部２３ａに設けた屈曲部２３ｂが上横板部２２ａに対向するように並設してある。つまり、隣接する下地材２０の間においては、係合部２２の上横板部２２ａと係合部２３の下横板部２３ａとが上下方向において互いに重なっており、上下に沿った隙間が生じることがない。しかも、下横板部２３ａにおいては、延在縁部から上方に向けて屈曲部２３ｂが延在しているため樋の機能を有することになり、隣接する下地材２０の相互間に水が滴下した場合に、下方に漏水させることなくその上面において確実に受け取ることが可能である。
【００２５】
図２からも明らかなように、もっとも前方に配置した下地材２０と前桁１４との間には、アタッチメント４０が配設してある。アタッチメント４０は、アルミニウム合金等の金属によって成形した押し出し形材である。本実施の形態では、上下に沿って延在する平板状の本体部４１を有するとともに、本体部４１の両側縁部にそれぞれ補助横板部４２，４３を有したアタッチメント４０を適用するようにしている。本体部４１は、下端を梁樋１７の上面に載置させた場合に上端が、後述するデッキ材３０の上面３０ａよりもわずかに上方に突出するように設定したものである。この本体部４１には、上端縁にカバー部４４が設けてあるとともに、中間部に桁樋当接部４５が設けてある。カバー部４４は、本体部４１の上端縁から後方に向けて略直角に屈曲して延在したものである。桁樋当接部４５は、本体部４１の前方に臨む表面から前方に向けてほぼ水平に延在した後、上方に向けてほぼ直角に屈曲して延在した部分である。この桁樋当接部４５は、梁樋１７の上面において本体部４１を桁樋１６において内側横板部１６ａの延在縁部に当接させた場合に桁樋１６の内側屈曲部１６ｂに当接するように寸法が設定してある。
【００２６】
本体部４１の後縁側に設けた補助横板部（以下、後方補助横板部４２という）は、本体部４１の下端縁から後方に向けてほぼ水平に延在した平板状を成している。後方補助横板部４２の寸法は、下地材２０に設けた上横板部２２ａの寸法よりも大きく構成してある。一方、本体部４１の前縁側に設けた補助横板部（以下、前方補助横板部４３という）は、桁樋当接部４５の上端縁から前方に向けてほぼ水平に延在した平板状を成している。これらの補助横板部４２，４３には、それぞれの延在縁部に補助屈曲部４６，４７が設けてある。後方補助横板部４２においては、補助屈曲部４６が上方に向けて延在し、前方補助横板部４３においては、補助屈曲部４７が下方に向けて延在している。後方補助横板部４２の補助屈曲部４６は、上下に沿った寸法が下地材２０における下地本体部２１の高さよりもわずかに小さく構成してあり、梁樋１７の上面に載置させた場合に上横板部２２ａとの間に配置することが可能である。図からも明らかなように、本実施の形態では、本体部４１の上端縁から前方に向けてカバー部４４を延長するとともに、前方補助横板部４３の前端縁から上方に向けて補助屈曲部４７を延長し、互いの延長部を連結することでアタッチメント４０に中空部４８を構成するようにしている。図からも明らかなように、アタッチメント４０の前後（短手）に沿った寸法は、下地材２０に比べて短く構成してある。
【００２７】
デッキ材３０は、バルコニーの床面となる板状部材であり、木粉を含む樹脂によって成形した中空の板状を成すものを適用し、妻梁１２に沿った姿勢で複数並設するようにしている。デッキ材３０の両側縁部には、後述する保持金具（保持部材）５０の押さえ板部５１によって下地材２０との間に挟持される挟持部３１が設けてある。本実施の形態では、前方に向けてわずかに下方となるように、デッキ材３０が傾斜した状態で配設してある。それぞれのデッキ材３０は、下地材２０に取り付けた保持金具５０により挟持部３１を介して下地材２０の上面２０ａに保持してある。
【００２８】
保持金具５０は、図６及び図７に示すように、押さえ板部５１、基準板部５２及び一対の取付板部５３，５４を有したもので、ステンレス等の金属によって一体に成形してある。押さえ板部５１は、矩形の平板状を成すものである。押さえ板部５１の長手に沿った寸法は、下地材２０に設けた樋状通路２１ａの幅寸法よりも大きく構成してある。基準板部５２は、押さえ板部５１のほぼ中央となる部分からほぼ直角となるように延在したものである。基準板部５２の幅は、押さえ板部５１と同一である。基準板部５２の延在縁部には、その両隅部に突出片５２ａが設けてある。取付板部５３，５４は、突出片５２ａの突出縁部から押さえ板部５１とほぼ平行となるように延在した平板状部分である。取付板部５３，５４の相互間隔は、下地材２０に設けた樋状通路２１ａの幅寸法よりも大きく構成してある。図からも明らかなように、一方の取付板部５３は、他方の取付板部５４よりも大きな幅を有しており、突出片５２ａから内方に向けて突出している。
【００２９】
この保持金具５０が取り付けられる下地材２０には、樋状通路２１ａの外部においてその両側となる部位に座面６０ａが構成してある。座面６０ａは、樋状通路２１ａの両側に位置する隔壁部６１の上方部からそれぞれ互いに離反する方向に向けて水平となるように設けた平板部６０の上面に構成してある。座面６０ａの位置は、隔壁部６１の上端よりも低く設定してある。より具体的には、隔壁部６１の上端と座面６０ａとの距離が、基準板部５２からの突出片５２ａの突出寸法よりわずかに小さい寸法となるように設定してある。またこの距離は、上述した保持金具５０の取付板部５３，５４を座面６０ａに配置した状態で取付ネジＳ２を螺合した場合にも取付ネジＳ２の頭部が下地材２０の上面２０ａから突出しないようにも設定してある。
【００３０】
それぞれの座面６０ａを構成する平板部６０には、樋状通路２１ａから離隔する方向に向けて傾斜板部６２、底板部６３及び側板部６４が連続している。傾斜板部６２は、平板部６０の縁部から漸次低くなるように傾斜して延在するものである。底板部６３は、傾斜板部６２の最下端から水平に延在したものである。側板部６４は、底板部６３の延在縁部から上方に向けて延在し、下地本体部２１の上面２０ａを構成する部分に接続している。すなわち、下地材２０においてデッキ材３０に対向する部位には、樋状通路２１ａの外部において隔壁部６１の上端よりも低い高さ位置にほぼ水平の座面６０ａが構成されているとともに、座面６０ａに隣接する部位に傾斜板部６２、底板部６３及び側板部６４によって樋部６５が構成されている。樋部６５の内底面６５ａと座面６０ａとの間には、傾斜板部６２によって構成された傾斜面６２ａが連続して構成されることになる。
【００３１】
さらに、樋状通路２１ａの隔壁部６１には、それぞれ縁板部２６が設けてある。縁板部２６は、隔壁部６１の上端からほぼ水平に延在するもので、樋状通路２１ａの両側縁部を覆うとともに、座面６０ａの上方を覆うようにわずかに突出している。座面６０ａ側への縁板部２６の突出量は、上述した保持金具５０における取付板部５３の突出片５２ａからの突出寸法とほぼ等しい。
【００３２】
上述の構成を有する下地材２０に対して保持金具５０は、取付板部５３，５４をそれぞれ座面６０ａに載置させ、この状態から取付板部５３，５４を介して座面６０ａを構成する平板部６０に取付ネジＳ２を螺合することによって下地材２０に取り付けられる。このとき、幅の広い取付板部５３の突出縁部を座面６０ａと縁板部２６との間に配置すれば、取付ネジＳ２を螺合する以前に保持金具５０が下地材２０に係合された状態となる。下地材２０に取り付けられた保持金具５０は、押さえ板部５１が下地材２０の上面２０ａに対向した状態となり、押さえ板部５１と下地材２０の上面２０ａとの間にデッキ材３０の挟持部３１を保持することができる。また、座面６０ａが水平に設けられているため、取付ネジＳ２を螺合する作業を容易に行うことが可能である。
【００３３】
上記のように構成したバルコニーでは、雨天時においてデッキ材３０の上面３０ａに降った雨がデッキ材３０の傾斜に従って前方に向かって誘導され、個々の前端縁から下方に落下する。デッキ材３０の前端縁から落下した雨水は、アタッチメント４０の本体部４１と補助屈曲部４６との間において後方補助横板部４２の上面で受け取られた後、妻梁１２もしくは中間根太１３に向けて誘導され、端部から落下して梁樋１７で受け止められる。前桁１４とアタッチメント４０との間に降った雨については、前桁１４の桁樋１６によって受け止められ、妻梁１２もしくは中間根太１３に向けて誘導され、端部から落下して梁樋１７で受け止められる。梁樋１７の雨水は、前方に誘導された後、排水樋１８を介して地表に誘導されることになる。
【００３４】
この間、デッキ材３０の上面３０ａに降った雨の一部は、デッキ材３０の相互間から下方に進行することになる。しかしながら、本実施の形態のバルコニーによれば、デッキ材３０の下方に下地材２０を設けるようにしているため、デッキ材３０の相互間を通過した雨水は、下地材２０によって受け止められることになり、デッキ部１０から直接地表に落下するおそれがない。
【００３５】
すなわち、下地材２０の上面２０ａに到達した雨水は、上方に開口する樋状通路２１ａで受け止められるため、樋状通路２１ａにおいて妻梁１２もしくは中間根太１３に向けて誘導され、端部から落下して梁樋１７で受け止められる。また、下地材２０の上面２０ａに到達した雨水は、そのまま妻梁１２もしくは中間根太１３に向けて誘導され、端部から落下して梁樋１７で受け止められる。下地材２０の上面２０ａを移動する雨水は、仮に途中で隣接する下地材２０に向けて移動したとしても、下地本体部２１と屈曲部２３ｂとの間において下横板部２３ａで受け止められ、地表に落下することなく、確実に梁樋１７に誘導されることになる。従って、デッキ材３０の相互間を通過した雨水が直接地表に落下する事態を招来することがない。
【００３６】
ここで、デッキ材３０を通過した雨水の一部には、下地材２０の座面６０ａに到達するものもある。しかしながら、上述バルコニーでは、デッキ材３０の下面３０ｂよりも低い位置に座面６０ａが設けられているとともに、座面６０ａよりも低い位置に長手に沿って延在する樋部６５が設けられ、かつ座面６０ａに隣接する部位には樋部６５に向けて漸次低く傾斜した傾斜面６２ａが設けられている。このため、座面６０ａに到達した雨水は、傾斜面６２ａを通じて樋部６５に導かれ、樋部６５を介して梁樋１７に排出されることになり、座面６０ａに滞留することがない。これにより、取付ネジＳ２を適用して保持金具５０を下地材２０に取り付けた場合にも、取付ネジＳ２や保持金具５０に錆や腐食等の問題を招来するおそれがなくなる。しかも、座面６０ａは、樋状通路２１ａの外部に設けられたものであり、さらには、樋状通路２１ａと座面６０ａとの間に介在する隔壁部６１の上端には縁板部２６が設けてある。このため、樋状通路２１ａに多量の雨水が流れ込んだ場合にも、その水が座面６０ａに到達するおそれがなく、取付ネジＳ２や保持金具５０に錆や腐食等の問題が生じる事態をより確実に防止することができるようになる。
【００３７】
なお、上述した実施の形態では、樋状通路２１ａの外部に座面６０ａを設けるようにしているが、樋状通路２１ａの内部に座面６０ａを設けるようにしても構わない。この場合、傾斜面６２ａは、樋状通路２１ａの内底面に接触している必要はなく、座面６０ａから単に樋状通路２１ａに向けて低くなるように傾斜していれば良い。また、デッキ材３０の延在方向に対して下地材２０の延在方向が交差するように配置されているバルコニーを例示しているため、デッキ材３０の相互間を通過した雨水等の水が樋状通路２１ａや下地材２０の下横板部２３ａ、樋部６５で受け止められることになるが、下地材２０及びデッキ材３０を互いに同じ方向に延在させてデッキ部１０を構成しても良い。さらに、前桁１４と下地材２０との間にアタッチメント４０を介在させるようにしているが、必ずしもアタッチメント４０を設ける必要はない。
【００３８】
また、上述した実施の形態では、傾斜面６２ａが樋部６５の一部を構成しているが、座面に連続していれば樋部６５とは別に傾斜面を設けてももちろん良い。
【符号の説明】
【００３９】
１０  デッキ部、２０  下地材、２０ａ  上面、２１ａ  樋状通路、２２，２３  係合部、３０  デッキ材、３０ｂ  下面、５０  保持金具、６０ａ  座面、６１  隔壁部、６２ａ  傾斜面、６３  底板部、６４  側板部、６５  樋部、６５ａ  内底面、Ｓ２  取付ネジ
【図１】
2018193826.tif 000003
【図２】
2018193826.tif 000004
【図３】
2018193826.tif 000005
【図４】
2018193826.tif 000006
【図５】
2018193826.tif 000007
【図６】
2018193826.tif 000008
【図７】
2018193826.tif 000009